(57)【要約】【課題】ウェーハ収納容器の容器本体内に収納されたウェーハ表面にパッキン由来のゴミ（パーティクル）が付着するのを抑制することができるウェーハ収納容器の洗浄方法およびウェーハ収納容器の洗浄装置を提供する。【解決手段】複数のウェーハを収納する容器本体と、該容器本体の開口部をパッキンを介して密閉する蓋体とを有するウェーハ収納容器の洗浄方法であって、前記容器本体における、前記密閉時に前記パッキンと接触する部分を局所的に洗浄する工程を有するウェーハ収納容器の洗浄方法。【選択図】図１
2020072215.tif 000002
【特許請求の範囲】
【請求項１】
複数のウェーハを収納する容器本体と、該容器本体の開口部をパッキンを介して密閉する蓋体とを有するウェーハ収納容器の洗浄方法であって、
前記容器本体における、前記密閉時に前記パッキンと接触する部分を局所的に洗浄する工程を有することを特徴とするウェーハ収納容器の洗浄方法。
【請求項２】
前記局所的に洗浄する工程において、さらに、前記パッキンにおける、前記密閉時に前記容器本体と接触する部分を局所的に洗浄することを特徴とする請求項１に記載のウェーハ収納容器の洗浄方法。
【請求項３】
前記局所的に洗浄する工程として、高圧ジェット洗浄と、二流体洗浄と、ブラシまたは不織布によるスクラブ洗浄のうちいずれか１つ以上を行うことを特徴とする請求項１または請求項２に記載のウェーハ収納容器の洗浄方法。
【請求項４】
前記局所的に洗浄する工程の他、前記ウェーハ収納容器を全体的に洗浄する工程を有することを特徴とする請求項１から請求項３のいずれか一項に記載のウェーハ収納容器の洗浄方法。
【請求項５】
前記全体的に洗浄する工程として、ディップ式洗浄またはシャワー式洗浄を行うことを特徴とする請求項１から請求項４のいずれか一項に記載のウェーハ収納容器の洗浄方法。
【請求項６】
複数のウェーハを収納する容器本体と、該容器本体の開口部をパッキンを介して密閉する蓋体とを有するウェーハ収納容器の洗浄装置であって、
前記容器本体における、前記密閉時に前記パッキンと接触する部分を局所的に洗浄する、局所洗浄ノズルと、局所洗浄ブラシと、局所洗浄不織布のうちいずれか１つ以上を有することを特徴とするウェーハ収納容器の洗浄装置。
【請求項７】
前記局所洗浄ノズルと、前記局所洗浄ブラシと、前記局所洗浄不織布は、さらに、前記パッキンにおける、前記密閉時に前記容器本体と接触する部分を局所的に洗浄するものであることを特徴とする請求項６に記載のウェーハ収納容器の洗浄装置。
【請求項８】
前記ウェーハ収納容器を全体的に洗浄する槽またはシャワーを有することを特徴とする請求項６または請求項７に記載のウェーハ収納容器の洗浄装置。
【発明の詳細な説明】
【技術分野】
【０００１】
本発明は、ウェーハ収納容器の洗浄方法及びその洗浄装置に関する。
【背景技術】
【０００２】
半導体ウェーハ、特にシリコン単結晶ウェーハに代表されるウェーハは、ＦＯＵＰやＦＯＳＢと呼ばれる収納容器で搬送、保管を行っている。この収納容器は内部に異物が侵入するのを防ぐため蓋体に装着されたパッキンによりシールされている。パッキンは摩耗や環境暴露によりパッキン表面が劣化し発塵源となる。
【０００３】
例えば特許文献１の（０００６）に、「ＳＭＩＦ−ＰＯＤやＦＯＵＰなどの基板ケースには、密封することを可能にしているパッキンから発塵する問題があり、その影響を抑制する目的で洗浄を行う。洗浄を実施する場合には、カバー部とドア部を分離し、別々に洗浄を実施する。」との記載があり、パッキンが発塵源となることは公知である。
【０００４】
特許文献２には、ＦＯＵＰの本体（ポッドシェル）とフタ（ドアシェル）を別々に洗浄する洗浄乾燥装置が開示されており、（０００７）と（０００９）に、それぞれの洗浄方法が記載されている。
【先行技術文献】
【特許文献】
【０００５】
【特許文献１】特開２０１２−２３８６４９号公報
【特許文献２】特開２００７−１２３７６９号公報
【発明の概要】
【発明が解決しようとする課題】
【０００６】
しかしながら、上記の従来法により洗浄を行っても、収納容器に収納したウェーハ表面にパッキン由来と考えられるパーティクルが付着することがあった。
そこで本発明者らが鋭意調査を行ったところ、ＦＯＵＰ等のパッキンが密閉時に容器本体に接触する部分から、ウェーハ表面のパーティクルとなるゴミが発生していることが判明した。本発明者らの調査によると、パッキンと容器本体の接触箇所が擦れて蓄積された上記ゴミは、ウェーハ収納容器の蓋体を開ける際に放出されて容器本体内へ流れ込む気流により収納されたウェーハに付着することが判明した。このウェーハ表面のパーティクルは特にＳｌｏｔ２５番（容器内最上段の位置のウェーハ）に顕著に表れる。
【０００７】
パッキンから発生したゴミ（１次発生源）はパッキンと接触している容器本体の部分に転写・付着し２次発塵源となる。この転写されたゴミは従来の容器本体全体を均一に洗うシャワーまたはディップ式洗浄では除去できないことが分かった。
また、劣化したパッキンを新品に交換しても、従来の洗浄方法では除去できない容器本体に付着した上記ゴミ（交換前の劣化パッキン由来のものが残留している）が２次発塵源となり、収納したウェーハに付着する。これにより、劣化したパッキンのウェーハ収納容器はパッキンのみならず容器本体も交換する必要があった。
【０００８】
なお、特許文献１によりパッキンが発塵源になることは公知であるが、パッキンと容器本体が接触する部分で容器本体に付着したパッキン材由来のゴミが、蓋体を開ける際に放出されてウェーハに付着するという技術課題や、その解決手段について開示している文献は見つからなかった。
【０００９】
本発明は、上記問題点に鑑みてなされたものであって、ウェーハ収納容器の容器本体内に収納されたウェーハ表面にパッキン由来のゴミ（パーティクル）が付着するのを抑制することができるウェーハ収納容器の洗浄方法およびウェーハ収納容器の洗浄装置を提供することを目的とする。
【課題を解決するための手段】
【００１０】
上記目的を達成するために、本発明は、複数のウェーハを収納する容器本体と、該容器本体の開口部をパッキンを介して密閉する蓋体とを有するウェーハ収納容器の洗浄方法であって、
前記容器本体における、前記密閉時に前記パッキンと接触する部分を局所的に洗浄する工程を有することを特徴とするウェーハ収納容器の洗浄方法を提供する。
【００１１】
２次発塵源である、密閉時にパッキンと接触する容器本体の部分（容器本体のパッキン接触部）を局所的に洗浄（局所洗浄）するため、従来法では除去できなかったパッキン接触部におけるパッキン由来のパーティクルを除去することができる。そのため、収納容器に収納したウェーハにパーティクルが付着するのを効果的に抑制することができる。
また、パッキンが劣化した場合は、２次発塵源からのウェーハへのパーティクル付着の防止のために、従来ではパッキンのみならず容器本体も交換する必要があった。しかしながら本発明の洗浄方法によって上記２次発塵源（蓄積したパーティクル）を除去できるため、交換するのはパッキンのみで容器本体を交換する必要がなくなり、ランニングコストを低減することができる。
【００１２】
また、前記局所的に洗浄する工程において、さらに、前記パッキンにおける、前記密閉時に前記容器本体と接触する部分を局所的に洗浄することができる。
【００１３】
このように、密閉時に容器本体と接触するパッキンの部分（パッキンの容器本体接触部）を局所洗浄するため、１次発塵源（蓄積したパーティクル）を除去することができる。したがって、より一層、ウェーハへのパーティクルの付着を抑制することができる。
【００１４】
また、前記局所的に洗浄する工程として、高圧ジェット洗浄と、二流体洗浄と、ブラシまたは不織布によるスクラブ洗浄のうちいずれか１つ以上を行うことができる。
【００１５】
このような洗浄を行えば、上記の２次発塵源や１次発塵源のパーティクルを効率良く除去することができる。
【００１６】
また、前記局所的に洗浄する工程の他、前記ウェーハ収納容器を全体的に洗浄する工程を有することができる。
【００１７】
このようにウェーハ収納容器を局所洗浄するのみならず全体的に洗浄（全体洗浄）すれば、ウェーハ収納容器に付着したパーティクルを全体的に除去することができ、ウェーハへのパーティクルの付着をさらに抑制することができる。
【００１８】
また、前記全体的に洗浄する工程として、ディップ式洗浄またはシャワー式洗浄を行うことができる。
【００１９】
このような洗浄は、ウェーハ収納容器に付着したパーティクルを全体的に除去するのに適している。全体洗浄として効率が良い方式である。
【００２０】
また本発明は、複数のウェーハを収納する容器本体と、該容器本体の開口部をパッキンを介して密閉する蓋体とを有するウェーハ収納容器の洗浄装置であって、
前記容器本体における、前記密閉時に前記パッキンと接触する部分を局所的に洗浄する、局所洗浄ノズルと、局所洗浄ブラシと、局所洗浄不織布のうちいずれか１つ以上を有することを特徴とするウェーハ収納容器の洗浄装置を提供する。
【００２１】
このような洗浄装置であれば、２次発塵源である容器本体のパッキン接触部に蓄積したパーティクルを効率的に除去することができ、ウェーハへのパーティクル付着を効果的に抑制できる。
また、上記のように本発明の洗浄装置で２次発塵源におけるパーティクルを除去してウェーハのパーティクル付着を防止できるため、パッキンが劣化した場合に容器本体は交換する必要はなく、パッキンのみ交換すれば良い。従来と異なり容器本体までも交換せずに済むため、ランニングコストを低減することができる。
【００２２】
また、前記局所洗浄ノズルと、前記局所洗浄ブラシと、前記局所洗浄不織布は、さらに、前記パッキンにおける、前記密閉時に前記容器本体と接触する部分を局所的に洗浄するものとすることができる。
【００２３】
このようなものであれば、１次発塵源であるパッキンの容器本体接触部に蓄積したパーティクルを効率的に除去することができ、より一層、ウェーハへのパーティクルの付着を抑制することができる。
【００２４】
また本発明では、前記ウェーハ収納容器を全体的に洗浄する槽またはシャワーを有することができる。
【００２５】
このようなものであれば、効率良く全体洗浄を行うことができる。
【発明の効果】
【００２６】
以上のように、本発明のウェーハ収納容器の洗浄方法およびその洗浄装置によれば、容器本体のパッキン接触部に蓄積したパーティクルを除去することができ、ウェーハへのパーティクル付着を効果的に抑制できる。またパッキンが劣化した場合には容器本体は交換せずにパッキンのみ交換すれば良く、ランニングコストを低減できる。
【図面の簡単な説明】
【００２７】
【図１】本発明のウェーハ収納容器の洗浄装置の一例を示す概略図である。
【図２】本発明のウェーハ収納容器の洗浄装置の他の一例を示す概略図である。
【図３】本発明のウェーハ収納容器の洗浄装置の他の一例を示す概略図である。
【図４】ウェーハ収納容器の一例を示す概略図である。
【図５】ウェーハ収納容器が密閉されているときの状態の一例を示す断面図である。
【図６】パッキンと容器本体とが互いに接触している状態の一例を示す拡大断面図である。
【発明を実施するための形態】
【００２８】
前述したように、従来の洗浄方法では除去できないパッキン由来のパーティクルの発生源について本発明者らは鋭意調査を行った。まずその調査について詳述する。
ウェーハ収納容器（以下、単に収納容器とも言う）のパッキンから発生したゴミが、パッキンと接触している容器本体の部分に転写・付着して２次発塵源となること、及び、該容器本体のパッキン接触部を局所的に洗浄することによってパーティクル付着低減効果が得られることについては、以下の手順（１）―（４）により確認した。
【００２９】
（１）  ウェーハ収納容器の開閉で収納したウェーハにパーティクルが付着する。その元素はパッキンの成分であり、パッキンが原因であることを確認した。
（２）  上記収納容器に別の素材のパッキンを装着（フッ素ゴム製からポリエステル製へ）したが、開閉動作でウェーハにフッ素ゴム由来のパーティクルが付着した。
（フッ素ゴムパッキンに比べてポリエステルパッキンの方が発塵が少ないので、当初はパッキンの交換のみでパーティクルの低減が可能と考えたが、十分改善しなかった。）
（３）  （２）の収納容器を通常の容器洗浄機（ディップ式及びシャワー式）で洗浄したが、開閉動作でウェーハにフッ素ゴム由来のパーティクルが付着することを確認した。
（４）  （３）の容器本体のパッキン接触部の局所洗浄を行い、その後通常洗浄（シャワー式）して開閉テストを行ったところ、ウェーハ上へのパーティクル付着は減少し、パーティクル付着数に関して新品の収納容器と同等となった。
【００３０】
これらのことから、本発明者らは容器本体のパッキン接触部の局所洗浄を行うことによって、そこに蓄積したパーティクルを除去することができ、ウェーハへのパーティクル付着を抑制できることを見出し、本発明を完成させた。
【００３１】
以下、本発明について、実施態様の一例として、図を参照しながら詳細に説明するが、本発明はこれに限定されるものではない。
まず、図４に洗浄対象であるウェーハ収納容器の概略を示す。図４に示すように、ウェーハ収納容器１は、主な部材として、ウェーハを収納する容器本体２と、蓋体３と、パッキン４を備えている。容器本体２は、その開口部５をパッキン４を介して蓋体３により密閉することができるようになっている。パッキン４の材質としては、例えばフッ素ゴムやポリエステルなどが挙げられる。
【００３２】
図５はウェーハ収納容器が密閉されているときの状態の一例を示す断面図である。図４のＡ−Ａ破線に沿った断面図である。また、図６は図５の丸印（破線）で囲った部分を拡大した断面図であり、パッキンと容器本体とが互いに接触している状態の一例を示している。
図５や図６に示すように、密閉時はパッキン４と容器本体２とが互いに押し合っていることによりシールされている。より具体的には、容器本体２により、パッキン４は容器本体２の外側（蓋体３側）に向かって０．１ｍｍ以上押し戻されている（押しこみ量）。ここで、図６中の符号６が容器本体２のパッキン接触部を示し、符号７がパッキン４の容器本体接触部を示している。パッキン４は摩擦や劣化で発塵源となるが、パッキン４から発生したパーティクルは、パッキン４と接触している容器本体２のパッキン接触部６と擦れ、そこに転写・付着し、蓄積されることになる。
【００３３】
次に、このようなウェーハ収納容器１を洗浄するための本発明の洗浄装置の一例を図１に示す。図１に示すように洗浄装置１０はウェーハ収納容器１を全体的に洗浄するためのシャワー１１と、容器本体２のパッキン接触部６を局所的に洗浄するための局所洗浄ノズル１２を有している。
シャワー１１は、容器本体２、蓋体３、パッキン４の表面全体に向けて洗浄液や純水等を噴出することができる。シャワー１１によりこれらの部品の表面全体を効率的に洗浄することができ、表面に付着したパーティクル等のゴミを除去することができる。例えば従来のシャワーと同様のものとすることができる。
【００３４】
また局所洗浄ノズル１２は、容器本体２のパッキン接触部６に向けて洗浄液や純水等を噴出することができる。例えば、シャワー１１よりも洗浄液等を高圧で噴射できる高圧ジェット洗浄ノズルとすることができる。その他、空気と洗浄液などの二つの流体を噴出できる二流体洗浄ノズルとすることも可能である。
この局所洗浄ノズル１２により、シャワー１１では除去できないような、パッキン接触部６に転写して蓄積されたパッキン４由来のパーティクルを効率的に除去することができる。したがって、従来のようにパッキン接触部６が２次発塵源となり、該２次発塵源からのパーティクルがウェーハに付着してしまうのを防ぐことができる。
【００３５】
また、この局所洗浄ノズル１２は、容器本体２のパッキン接触部６のみならず、パッキン４の容器本体接触部７も局所的に洗浄するものとすることができる。これにより、１次発塵源であるパッキン４、特には容器本体２と接触して擦れる箇所である容器本体接触部７に蓄積されたパーティクルをも効率的に除去することができる。そのため、より一層、ウェーハへのパーティクルの付着を抑制することができる。
【００３６】
なお、シャワー１１や局所洗浄ノズルの配置位置や本数、容器本体２などの洗浄時の向きなどは特に限定されず、適宜決定できる。
また、ここでは局所洗浄ノズル１２を配置した例について説明したが、これに代えてブラシ（局所洗浄ブラシ１３）や、または不織布（局所洗浄不織布１４）を配置することもできる。これらの洗浄手段であっても、効率的に各接触部６、７のパーティクルの除去を効率的に行うことができる。
あるいは、これらを複数組み合わせて配置することも可能である。複数組み合わせて洗浄することでより効果的にパーティクルを除去することが可能である。
【００３７】
また、図１では全体洗浄のシャワー１１と局所洗浄の局所洗浄ノズル１２が別の場所に配置されており、別のタイミングで各洗浄を行う形態を示したが、図２に示す他の一例のように、同様の場所に配置して同じタイミングで各洗浄を行うことも可能である。
【００３８】
また、図１に示す例では全体洗浄のためにシャワー１１を配置した例について説明したが、シャワー１１の代わりに、図３に示すように洗浄液等を満たした槽１５を配置することができる。図３は本発明のウェーハ収納容器の洗浄装置のさらに他の一例を示したものであり、全体洗浄部のみ示したものである。このような槽１５に容器本体２などを浸漬することでも効率良く全体洗浄を行うことができる。
【００３９】
以上のような本発明であれば、前述したように、容器本体２のパッキン接触部６や、さらにはパッキン４の容器本体接触部７に蓄積したパーティクルを除去してウェーハへの付着を防止することができる。
また、パッキン接触部６に転写して蓄積したパーティクルを除去できるので、パッキン４が劣化した場合に、従来のようにパッキン４のみならず容器本体２をも交換する必要はない。そのため、ランニングコストの低減を図ることができる。
【００４０】
次に、図１の本発明のウェーハ収納容器の洗浄装置を用いた本発明のウェーハ収納容器の洗浄方法について説明する。
まず、ウェーハ収納容器１を分解して、容器本体２、蓋体３、パッキン４に分ける。
局所洗浄ノズル１２により、容器本体２のパッキン接触部６や、さらには必要に応じてパッキン４の容器本体接触部７に向けて各種の洗浄液を噴出して局所洗浄する（局所洗浄工程）。例えば、高圧ジェット洗浄や二流体洗浄を行い、効率良く洗浄することができる。
次に、シャワー１１により、容器本体２等の表面全体に向けて各種の洗浄液を噴出して全体洗浄する（全体洗浄工程）。
【００４１】
なお、上記例では局所洗浄工程の後に全体洗浄工程を行っているが、これに限定されず、局所洗浄工程および全体洗浄工程を逆のタイミングで行うこともできるし、これらの工程を同じタイミングで行うこともできる。
また、局所洗浄工程として、ブラシまたは不織布によるスクラブ洗浄を行うこともできる（局所洗浄ブラシ１３または局所洗浄不織布１４の使用）。
さらには、シャワー１１によるシャワー式洗浄に代えて、全体洗浄工程として、槽１５を用いたディップ式洗浄を行うこともできる。
その後、容器本体２等を純水でリンスし、乾燥させる。
【００４２】
以上の洗浄工程により、特に従来の洗浄方法では除去できなかった容器本体２のパッキン接触部６に付着しているパーティクルを除去することができる。これにより、ウェーハへのパーティクルの付着が抑制され、また、劣化パッキン交換に伴う容器本体の交換の必要性をなくすことができる。
【実施例】
【００４３】
以下、実施例及び比較例を示して本発明をより具体的に説明するが、本発明はこれらに限定されるものではない。
劣化したパッキン（フッ素ゴム）を有する使用済みのＦＯＵＰを用意した。この劣化したパッキンを有するＦＯＵＰに対し、または、パッキンを交換したＦＯＵＰに対し、後述する実施例１、２、比較例１、２のように各洗浄を行った後に、下記（１）―（４）の工程を実施し、ウェーハ表面に付着したパーティクル増加個数を計測した。
【００４４】
（１）ＦＯＵＰにエピタキシャルウェーハを２枚収納
（ＳｌｏｔＮｏ．２５（最上部）とＮｏ．１（最下部））
（２）ＳＰ５（ＫＬＡ−テンコール社製）でパーティクル数を測定
（３）蓋体の開閉動作を２０回実施
（４）ＳＰ５で再測定し、蓋体の開閉動作前後の増加パーティクル数を計測（個／ｗａｆｅｒ。なお、パーティクルは２２ｎｍ以上のサイズのものを計測）
【００４５】
各実施例および比較例における、洗浄対象、洗浄方法、パーティクル増加個数は以下の通りである。
（比較例１）
劣化したパッキン（フッ素ゴム）を装着したＦＯＵＰに対し、通常の容器洗浄を実施後に上記（１）〜（４）を実施した。
通常の容器洗浄：収納容器全体に界面活性剤０．１％のシャワーを行った後、純水シャワーを行い、その後に乾燥した。
このように比較例１の洗浄は、従来法と同様の全体洗浄工程のみとした。
増加個数：２６５個／ｗａｆｅｒ（平均値）
【００４６】
（比較例２）
劣化したパッキン（フッ素ゴム）をポリエステルパッキンに交換したＦＯＵＰに対し、通常の容器洗浄を実施後に上記（１）〜（４）を実施した。
このように比較例２の洗浄は、従来法と同様の全体洗浄工程のみとした。
増加個数：５８５個／ｗａｆｅｒ（平均値）
【００４７】
（実施例１）
劣化したパッキン（フッ素ゴム）をポリエステルパッキンに交換したＦＯＵＰに対し、本発明の局所洗浄（図１の洗浄装置の局所洗浄ノズル１２を使用）を行った後に通常の容器洗浄を実施後に上記（１）〜（４）を実施した。
局所洗浄：二流体洗浄（空気＋洗浄液）（洗浄液として界面活性剤０．１％、水圧０．２ＭＰａ、水量３８．３ｍｌ／ｍｉｎ、洗浄時間は容器本体のパッキン接触部の一辺あたり２０秒間×２回（５ｃｍ離れた位置から噴射））を行い、純水でリンスした。
このように実施例１の洗浄は、局所洗浄工程と全体洗浄工程からなるものとした。
増加個数：２個／ｗａｆｅｒ（平均値）
【００４８】
（実施例２）
劣化したパッキン（フッ素ゴム）をポリエステルパッキンに交換したＦＯＵＰに対し、本発明の局所洗浄を行った後に通常の容器洗浄を実施後に上記（１）〜（４）を実施した。
局所洗浄：高圧ジェット（水圧１０ＭＰａの純水ジェット、水量１．２ｌ／ｍｉｎ、洗浄時間は容器本体のパッキン接触部の一辺あたり２０秒間×２回（１０ｃｍ離れた位置から噴射））を行い、純水でリンスした。
このように実施例２の洗浄は、局所洗浄工程と全体洗浄工程からなるものとした。
増加個数：１個／ｗａｆｅｒ（平均値）
【００４９】
以上のように、ウェーハ表面に付着したパーティクル増加個数に関して、本発明の洗浄方法および洗浄装置を用いた実施例１、２では、各々、２個／ｗａｆｅｒ、１個／ｗａｆｅｒであり、従来法による比較例１、２では、各々、２６５個／ｗａｆｅｒ、５８５個／ｗａｆｅｒであった。なお、比較例１、２の増加個数の差はバラツキの範囲内と考えられる。
従来法に比べ、本発明の洗浄方法および洗浄装置であればパーティクル増加個数を１／１００未満にまで低減できていることが分かる。
【００５０】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【００５１】
１…ウェーハ収納容器、  ２…容器本体、  ３…蓋体、  ４…パッキン、
５…開口部、  ６…容器本体のパッキン接触部、  ７…パッキンの容器本体接触部、
１０…本発明のウェーハ収納容器の洗浄装置、  １１…シャワー、
１２…局所洗浄ノズル、  １３…局所洗浄ブラシ、  １４…局所洗浄不織布、
１５…槽。
【図１】
2020072215.tif 000003
【図２】
2020072215.tif 000004
【図３】
2020072215.tif 000005
【図４】
2020072215.tif 000006
【図５】
2020072215.tif 000007
【図６】
2020072215.tif 000008
【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
複数のウェーハを収納する容器本体と、該容器本体の開口部をパッキンを介して密閉する蓋体とを有するウェーハ収納容器の洗浄方法であって、
前記容器本体における、前記密閉時に前記パッキンと接触する部分を局所的に洗浄する工程を有することを特徴とするウェーハ収納容器の洗浄方法。
【請求項２】
前記局所的に洗浄する工程において、さらに、前記パッキンにおける、前記密閉時に前記容器本体と接触する部分を局所的に洗浄することを特徴とする請求項１に記載のウェーハ収納容器の洗浄方法。
【請求項３】
前記局所的に洗浄する工程として、高圧ジェット洗浄と、二流体洗浄と、ブラシまたは不織布によるスクラブ洗浄のうちいずれか１つ以上を行うことを特徴とする請求項１または請求項２に記載のウェーハ収納容器の洗浄方法。
【請求項４】
前記局所的に洗浄する工程の他、前記ウェーハ収納容器を全体的に洗浄する工程を有することを特徴とする請求項１から請求項３のいずれか一項に記載のウェーハ収納容器の洗浄方法。
【請求項５】
前記全体的に洗浄する工程として、ディップ式洗浄またはシャワー式洗浄を行うことを特徴とする請求項４に記載のウェーハ収納容器の洗浄方法。
【請求項６】
複数のウェーハを収納する容器本体と、該容器本体の開口部をパッキンを介して密閉する蓋体とを有するウェーハ収納容器の洗浄装置であって、
前記容器本体における、前記密閉時に前記パッキンと接触する部分を局所的に洗浄する、局所洗浄ノズルと、局所洗浄ブラシと、局所洗浄不織布のうちいずれか１つ以上を有することを特徴とするウェーハ収納容器の洗浄装置。
【請求項７】
前記局所洗浄ノズルと、前記局所洗浄ブラシと、前記局所洗浄不織布は、さらに、前記パッキンにおける、前記密閉時に前記容器本体と接触する部分を局所的に洗浄するものであることを特徴とする請求項６に記載のウェーハ収納容器の洗浄装置。
【請求項８】
前記ウェーハ収納容器を全体的に洗浄する槽またはシャワーを有することを特徴とする請求項６または請求項７に記載のウェーハ収納容器の洗浄装置。